(57)【要約】      （修正有）【課題】低温環境から取り出し、移動およびスキャンする際に保冷効果を良くする生体試料保管チューブを提供する。【解決手段】チューブ蓋１とチューブ本体２とを含み、前記チューブ蓋は上蓋体と下蓋体とを含み、上蓋体は下蓋体の上部に設置され、下蓋体には蓋体キャビティ層が設置され、下蓋体の蓋体キャビティ層に対応する内周に内ねじが設置され、チューブ本体は第一チューブ本体と第二チューブ本体とを含み、第二チューブ本体は第一チューブ本体の外周に覆って固定され、第一チューブ本体のチューブ壁内にはチューブ本体キャビティ層が設置され、第二チューブ本体の上部の外周には外ねじが設置され、チューブ蓋とチューブ本体は内ねじと外ねじとのねじ連結により連結され、第一チューブ本体と第二チューブ本体とは一体射出成形される。【選択図】図１
0003222550.tif 000002
【実用新案登録請求の範囲】
【請求項１】
チューブ蓋とチューブ本体とを含み、
前記チューブ蓋は上蓋体と下蓋体とを含み、前記上蓋体は前記下蓋体の上部に設置され、前記下蓋体には蓋体キャビティ層が設置され、下蓋体の前記蓋体キャビティ層に対応する内周に内ねじが設置され、
前記チューブ本体は第一チューブ本体と第二チューブ本体とを含み、前記第二チューブ本体は前記第一チューブ本体の外周に覆って固定され、前記第一チューブ本体のチューブ壁内にはチューブ本体キャビティ層が設置され、
前記第二チューブ本体の上部の外周には外ねじが設置され、前記チューブ蓋と前記チューブ本体は前記内ねじと外ねじとのねじ連結により連結され、
前記第一チューブ本体と前記第二チューブ本体とは一体射出成形されることを特徴とする生体試料保管チューブ。
【請求項２】
前記第一チューブ本体と前記第二チューブ本体は異なる色の本体であり、前記第一チューブ本体と前記第二チューブ本体とは二色の一体射出で成形されることを特徴とする請求項１に記載の生体試料保管チューブ。
【請求項３】
前記第一チューブ本体は透明部材または半透明部材であり、その材料は耐低温性材料からなり、  前記第二チューブ本体は透明部材、半透明部材または非透明部材であり、その材料は耐低温性材料からなることを特徴とする請求項２に記載の生体試料保管チューブ。
【請求項４】
前記第一チューブ本体はＰＰ材料からなり、  前記第二チューブ本体は耐低温性のＰＰ材料、ＰＣ材料、ＡＢＳ材料、ＰＰＯ材料またはＬＬＤＰＥ材料からなることを特徴とする請求項３に記載の生体試料保管チューブ。
【請求項５】
前記チューブ蓋および／またはチューブ本体には窒素充填孔が設けられていることを特徴とする請求項１〜４のいずれかの一項に記載の生体試料保管チューブ。
【請求項６】
前記第二チューブ本体には少なくとも一つの可視窓が設けられていることを特徴とする請求項３に記載の生体試料保管チューブ。
【請求項７】
前記上蓋体の上部には上蓋操作溝が設置され、前記上蓋操作溝内にはＡ二次元コード設定エリアが設置され、前記チューブ本体の下端面にはＢ二次元コード設定エリアが設置されていることを特徴とする請求項１〜４のいずれかの一項に記載の生体試料保管チューブ。
【請求項８】
前記第二チューブ本体には、互いに対称する二つの可視窓が設けられ、且つ、バーコード設定エリアが設置されていることを特徴とする請求項６に記載の生体試料保管チューブ。
【請求項９】
前記上蓋操作溝内には二次元コード係合部材が係合設置されていることを特徴とする請求項７に記載の生体試料保管チューブ。
【考案の詳細な説明】
【技術分野】
【０００１】
本考案は、生体試料保管設備の分野に関する。特に、生体試料保管チューブに関する。
【背景技術】
【０００２】
従来技術の生体試料保管チューブは、生体試料の保管に用いられ、一般的には蓋体とチューブ本体とを含み、蓋体とチューブ本体はねじにより連結され、チューブ本体の底部または側壁に生体試料の情報を保管するための二次元コードが設けられている。従来の生体試料保管チューブの瓶底または外壁の二次元コードをスキャンする手段は、ストロー機構により生体試料保管チューブを吸い取り、コードスキャンエリアに移動し、１〜３秒間一時停止しスキャン動作を実行し、コードスキャンが終了した後にロボットアームにより生体試料保管チューブを把持し液体窒素チューブ内に移動させることである。従来の生体試料保管チューブは、液体窒素チューブから取り出す過程において、自身の構造的な原因により温度があまりにも速く上昇される。そのため、従来の生体試料保管チューブは、常温においての生体試料保管チューブの温度復帰速度が速すぎ、内部に保管されている生体試料が損傷しやすい。また、従来の生体試料保管チューブは窒素補給機能を有しておらず、保冷効果が十分に発揮できないため、生体試料の保管に大きなリスクをもたらす。
【考案の概要】
【考案が解決しようとする課題】
【０００３】
本考案の目的は生体試料保管チューブを提供することにより、従来技術においての低温環境から生体試料保管チューブを取り出し、移動およびスキャンする際に、保冷効果を良く達成できず、環境の影響を受けやすく、生体試料の保管に大きなリスクをもたらす問題を解決することである。
【課題を解決するための手段】
【０００４】
本考案は技術的課題を解決するために下記の技術方案を採用する。チューブ蓋とチューブ本体とを含み、前記チューブ蓋は上蓋体と下蓋体とを含み、前記上蓋体は前記下蓋体の上部に設置され、前記下蓋体には蓋体キャビティ層が設置され、下蓋体の前記蓋体キャビティ層に対応する内周に内ねじが設置され、前記チューブ本体は第一チューブ本体と第二チューブ本体とを含み、前記第二チューブ本体は前記第一チューブ本体の外周に覆って固定的され、前記第一チューブ本体のチューブ壁内にはチューブ本体キャビティ層が設置され、前記第二チューブ本体の上部の外周には外ねじが設置され、前記チューブ蓋と前記チューブ本体は前記内ねじと外ねじとのねじ連結により連結され、前記第一チューブ本体と前記第二チューブ本体とは一体射出成形されることを特徴とする生体試料保管チューブを提供する。
【０００５】
好ましくは、前記第一チューブ本体と前記第二チューブ本体は異なる色の本体であり、前記第一チューブ本体と前記第二チューブ本体とは二色の一体射出で成形される。
【０００６】
好ましくは、前記第一チューブ本体は透明部材または半透明部材であり、その材料は耐低温性材料からなり、前記第二チューブ本体は透明部材、半透明部材または非透明部材であり、その材料は耐低温性材料からなる。
【０００７】
好ましくは、前記第一チューブ本体はＰＰ材料からなり、前記第二チューブ本体は耐低温性のＰＰ材料、ＰＣ材料、ＡＢＳ材料、ＰＰＯ材料またはＬＬＤＰＥ材料からなる。
【０００８】
好ましくは、前記チューブ蓋および／またはチューブ本体には窒素充填孔が設けられている。
【０００９】
好ましくは、前記第二チューブ本体には少なくとも一つの可視窓が設けられている。
【００１０】
好ましくは、前記上蓋体の上部には上蓋操作溝が設置され、前記上蓋操作溝内にはＡ二次元コード設定エリアが設置され、前記チューブ本体の下端面にはＢ二次元コード設定エリアが設置されている。
【００１１】
好ましくは、前記第二チューブ本体には、互いに対称する二つの可視窓が設けられ、且つ、バーコード設定エリアが設置されている。
【００１２】
好ましくは、前記上蓋操作溝内には二次元コード係合部材が係合設置されている。
【考案の効果】
【００１３】
本考案は下記の有益な効果がある。チューブ蓋が設置され、前記チューブ蓋には蓋体キャビティ層が設置され、前記第一チューブ本体にはチューブ本体キャビティ層が設置される。これにより、チューブ蓋からチューブ本体にかけて二層構造が形成され、温度絶縁層が形成される。低温から生体試料保管チューブを取り出し室温に暴露される際に、他の場所に移動する必要があるが、室温での短期的暴露により生体試料保管チューブ内の生体試料が損傷される可能性がある場合、二層構造は、より良い保冷機能を達成し、生体試料保管チューブ内の生体試料の活性を維持するためのもっと良い保温機能を有する。前記第一チューブ本体と前記第二チューブ本体とは射出成形または一体射出成形され、製造工程は比較的簡単であり、効率が高く、コストが低い。
【図面の簡単な説明】
【００１４】
【図１】図１は、生体試料保管チューブの構成を示す概略図である。
【図２】図２は、生体試料保管チューブの正面図である。
【図３】図３は、図２のＡ−Ａ線に沿った断面図である。
【図４】図４は、Ｂ部の拡大図である。
【図５】図５は、Ｃ部の拡大図である。
【図６】図６は、チューブ蓋の構造を示す概略図である。
【図７】図７は、第一チューブ本体と第二チューブ本体の構成を示す分解斜視図である。
【符号の説明】
【００１５】
１−チューブ蓋、２−チューブ本体、３−上蓋体、４−下蓋体、５−蓋体キャビティ層、6−第一チューブ本体、７−第二チューブ本体、８−チューブ本体キャビティ層、９−外ねじ、１０−窒素充填孔、１１−可視窓、１２−バーコード設定エリア、１３−上蓋操作溝、１４−Ａ二次元コード設定エリア、１５−Ｂ二次元コード設定エリア、１６−二次元コード係合部材。
【考案を実施するための形態】
【００１６】
以下、実施例および添付の図面を参照しながら、本考案の技術的方案をさらに説明する。
【実施例１】
【００１７】
本考案は生体試料保管チューブを提供する。前記生体試料保管チューブは、チューブ蓋１とチューブ本体２とを含み、前記チューブ蓋１は上蓋体３と下蓋体４とを含み、前記上蓋体３は前記下蓋体４の上部に設置され、前記下蓋体４には蓋体キャビティ層５が設置され、下蓋体４の前記蓋体キャビティ層５に対応する内周に内ねじが設置され、前記チューブ本体２は第一チューブ本体６と第二チューブ本体７とを含み、前記第二チューブ本体７は前記第一チューブ本体６の外周に覆って固定され、前記第一チューブ本体６のチューブ壁内にはチューブ本体キャビティ層８が設置され、前記第二チューブ本体７の上部の外周には外ねじ９が設置され、前記チューブ蓋１と前記チューブ本体２は前記内ねじと外ねじ９とのねじ連結により連結され、前記第一チューブ本体６と前記第二チューブ本体７とは一体射出成形される。チューブ蓋１とチューブ本体２は連結する際、ねじ連結により連結されるとともに、ガスケットが設置され、チューブ蓋１とチューブ本体２との連結によりガスケットを押出し密封機能が達成されている。ここに記載の蓋体キャビティ層５とチューブ本体キャビティ層８とはいずれもキャビティ層を指し、温度隔離効果を有する。
【００１８】
チューブ蓋１が設置され、前記チューブ蓋１には蓋体キャビティ層８が設置され、前記第一チューブ本体６にはチューブ本体キャビティ層８が設置される。ことにより、チューブ蓋１からチューブ本体２にかけて二層構造が形成され、温度絶縁層が形成される。低温から生体試料保管チューブを取り出し室温に暴露される際に、他の場所に移動する必要があるが、室温での短期的暴露により生体試料保管チューブ内の生体試料が損傷される可能性がある場合、二層構造はより良い保冷機能を達成し、生体試料保管チューブ内の生体試料の活性を維持するためのもっと良い保温機能を有する。前記第一チューブ本体６と前記第二チューブ本体７は異なる色の本体であり、前記第一チューブ本体６と前記第二チューブ本体７とは二色の一体射出で成形される。第一チューブ本体６と第二チューブ本体７を異なる色に設置し、二色射出成形システムを利用し一体射出成形することにより、製造工程において第一チューブ本体６と第二チューブ本体７を別々に製造する必要がないため、工程のプロセスを減らし、コストを削減する。
【００１９】
本実施例の好ましいさらなる実施形態は、前記第一チューブ本体６は透明部材または半透明部材であり、その材料は耐低温性材料からなり、前記第二チューブ本体７は透明部材、半透明部材または非透明部材であり、その材料は耐低温性材料からなる。第一チューブ本体６が透明部材または半透明部材である場合、チューブ本体内の生体試料を保管する際の観察に便利である。
【００２０】
本実施例の好ましいさらなる実施形態は、前記第一チューブ本体６はＰＰ材料からなり、前記第二チューブ本体７は耐低温性のＰＰ材料、ＰＣ材料、ＡＢＳ材料、ＰＰＯ材料またはＬＬＤＰＥ材料からなる。生体試料の保管は、低温環境における生体試料の保管であるため、耐低温性の材料を選択するのが最適な選択である。
【００２１】
本実施例の好ましいさらなる実施形態は、前記チューブ蓋１および／またはチューブ本体２には窒素充填孔１０が設けられている。チューブ蓋１とチューブ本体２には窒素充填孔１０が設けられていて、外部の液体窒素をチューブ本体２内に補給することにより、より良い保冷機能を達成し、生体試料保管チューブ内の生体試料の活性を維持する。
【００２２】
本実施例の好ましいさらなる実施形態は、前記第二チューブ本体７には少なくとも一つの可視窓１１が設けられている。前記第二チューブ本体７には、互いに対称する二つの可視窓１１が設けられ、且つ、バーコード設定エリア１２が設置されている。バーコード設定エリア１２にバーコードを設置し、可視窓を利用し第一チューブ本体６（透明部材または半透明部材）内の生体試料の状況を便利に観察することができる。
【００２３】
本実施例の好ましいさらなる実施形態は、前記上蓋体３の上部には上蓋操作溝１３が設置され、前記上蓋操作溝１３内にはＡ二次元コード設定エリア１４が設置され、前記チューブ本体２の下端面にはＢ二次元コード設定エリア１５が設置されている。前記上蓋操作溝１３内には二次元コード係合部材１６が係合設置され、二次元コード係合部材１６はしまりばめにより各種二次元コードストリップをＡ二次元コード設定エリア１４に係合されるか、または、超音波接合の工程によりＢ二次元コード設定エリア１５に固定される。
【００２４】
本実施例の好ましいさらなる実施形態は、前記第二チューブ本体７には、互いに対称する二つの可視窓１１が設けられ、且つ、バーコード設定エリア１２が設置されている。互いに対称する可視窓１１を設置することにより、内部の生体試料の観察により便利である。
【００２５】
本実施例の好ましいさらなる実施形態は、前記上蓋操作溝１３内には二次元コード係合部材１６が係合設置される。二次元コード係合部材１６により二次元コードストリップを固定設置する。
【００２６】
上記の実施例の順序は、単に説明の便利上のものであり、実施例の利点および不利点を表すものではない。
【００２７】
最後に、上記の実施例は、ただ本考案の技術的方案を説明するために使用されていることに過ぎず、それに対する限定ではない。本考案は、前述の実施例を参照しながら詳細に説明されたので、当業者は理解すべきであるが、依然として前述の実施例に記載された技術的方案を修正することができる、または、技術的特徴の一部を置き換えることができる。しかしながら、これらの修正または置換により、対応する技術的方案の本質が本発明の実施例の技術的方案の精神および範囲から逸脱させることではない。
【図１】
0003222550.tif 000003
【図２】
0003222550.tif 000004
【図３】
0003222550.tif 000005
【図４】
0003222550.tif 000006
【図５】
0003222550.tif 000007
【図６】
0003222550.tif 000008
【図７】
0003222550.tif 000009